(57)【特許請求の範囲】
【請求項１】
記録を行うための記録媒体を複数積載する記録媒体積載部と、前記記録媒体積載部に積載された記録媒体を給送する給送機構とを備え、
前記給送機構によって給送された記録媒体に対して記録手段により記録を行う記録装置であって、
前記記録媒体積載部に新たに記録媒体が積載されたことを検出する積載検出手段と、前記記録媒体積載部に積載された記録媒体の種類を判別する記録媒体判別手段と、
前記記録媒体判別手段によって判別された記録媒体の種類を記憶する記憶手段と、
前記積載検出手段が前記記録媒体積載部への新たな記録媒体の積載を検出したことに応じて、前記記録媒体判別手段による新たな記録媒体の種類の判別動作を実行させ、当該判別された記録媒体の種類を前記記憶手段に記憶させると共に、記録が指示されたときには前記記憶手段に記憶されている記録媒体の種類に基づき前記記録媒体への記録に関連する動作を制御する制御部と、
を備えたことを特徴とする記録装置。
【請求項２】
前記記録媒体判別手段は、前記記録媒体積載部から前記給送機構によって次に給送される記録媒体の種類を判別することを特徴とする請求項１に記載の記録装置。
【請求項３】
前記給送機構は、前記記録媒体積載部に積載された複数の記録媒体のうち最上位の記録媒体から順次給送することを特徴とする請求項１または２に記載の記録装置。
【請求項４】
前記給送機構は、前記記録媒体積載部に積載された複数の記録媒体のうち最下位の記録媒体から順次給送することを特徴とする請求項１または２に記載の記録装置。
【請求項５】
前記記録媒体積載部は、異なる種類の記録媒体を積載可能であり、前記給送手段は異なる種類の記録媒体を給送可能であることを特徴とする請求項１ないし４のいずれかに記載の記録装置。
【請求項６】
記録装置の電源ＯＮ時に前記記録媒体判別手段による判別を実行することを特徴とする請求項１ないし５のいずれかに記載の記録装置。
【請求項７】
前記制御部は、前記記録媒体判別手段によって判別された記録媒体の種類に従って記録媒体の給送動作を制御することを特徴とする請求項１ないし６のいずれかに記載の記録装置。
【請求項８】
記録を行うための記録媒体を複数積載する記録媒体積載部と、前記記録媒体積載部に積載された記録媒体を給送する給送機構と、記録媒体の種類を保持するメモリとを備えた記録装置において実行される記録媒体の種類判別方法であって、
前記記録媒体積載部に新たに記録媒体が積載されたことを検出する積載検出工程と、
前記記録媒体積載部に積載された記録媒体の種類を判別する記録媒体判別工程と、
前記記録媒体判別工程において判別された記録媒体の種類を前記メモリに保持する保持工程と、
前記積載検出工程において前記記録媒体積載部への記録媒体の積載が検出されたことに応じて、前記記録媒体判別工程による新たな記録媒体の種類の判別を行わせ、当該判別された記録媒体の種類を前記記憶手段に記憶させると共に、記録が指示されたときには前記メモリが保持している前記記録媒体の種類が読み出すよう制御する制御工程と、
を備えたことを特徴とする記録媒体の種類判別方法。
【請求項９】
記録データに基づいて記録媒体に記録を行う記録装置において、
前記記録媒体を複数積載する記録媒体積載部と、
前記記録媒体積載部に新たに記録媒体が積載されたこと、または、前記記録媒体積載部に積載されていた記録媒体を取り除くこと、に伴う記録媒体の動きを検出する検出手段と、
前記記録媒体積載部に積載された記録媒体の種類を判別する判別手段と、
前記判別手段によって判別された記録媒体の種類を記憶する記憶手段と、
前記検出手段が前記記録媒体の動きを検出したことに応じて、前記判別手段による新たな記録媒体の種類の判別動作を実行させ、当該判別された記録媒体の種類を前記記憶手段に記憶させると共に、記録が指示されたときには前記記憶手段に記憶されている記録媒体の種類に基づき前記記録媒体への記録に関連する動作を制御する制御部と、
を備えたことを特徴とする記録装置。
【請求項１０】
記録媒体を複数積載する記録媒体積載部と、前記記録媒体積載部に積載された記録媒体の種類を判別する判別手段と、前記判別手段により判別された記録媒体の種類を保持するメモリを備え、記録データに基づいて前記記録媒体に記録を行う記録装置における記録媒体の種類判別方法であって、
前記記録媒体積載部に新たに記録媒体が積載されたこと、または、前記記録媒体積載部に積載されていた記録媒体を取り除くこと、に伴う記録媒体の動きを検出する検出工程と、
前記検出工程において前記記録媒体の動きが検出されたことに応じて、前記判別手段による新たな記録媒体の種類の判別動作を実行させ、当該判別された記録媒体の種類を前記メモリに保持させると共に、記録が指示されたときには前記メモリが保持している記録媒体の種類を読み出すよう制御する制御工程と、
を備えたことを特徴とする記録媒体の種類判別方法。
【発明の詳細な説明】
【０００１】
【発明の属する技術分野】
本発明は、記録のための記録媒体を積載する記録媒体積載部を持つ記録装置、例えばコンピュータ等の情報出力装置であるプリンタや、複写機、ファクシミリなどの記録装置および記録媒体の種類判別方法に関する。
【０００２】
【従来の技術】
従来、記録媒体を使用し記録を行う記録装置においては、複数の種類の記録媒体、例えば普通紙、ＯＨＰ、光沢紙、等が使用可能となっている。記録時において、これらの記録媒体の種類に応じて、記録手段における記録条件の変更等が行われるのが一般的である。
記録媒体の種類の情報を得る方法としては、以下のような方法がある。
【０００３】
比較的大型で大量の記録を行う記録装置においては、記録媒体専用の収納容器である専用カセットを記録媒体毎に設定し、記録時にそのカセットの種類を判別して紙種情報を得る方法が採られている。
一方、カセットを用いない比較的小型な記録装置においては、装置の大きさの制約から積載できる記録媒体の枚数が少ない変わりに、一つの給紙手段により様々な種類の記録媒体が給紙できるように給紙部が構成されている。
【０００４】
このような小型の装置構成の場合、一度の記録動作では少数の記録媒体しか使用しないが複数の異なる種類の記録媒体を使用するユーザには使い勝手が良く、積載される記録媒体の種類を頻繁に変更できるものとなっている。
【０００５】
そのため、このような装置においては、記録装置の電源をＯＮしてから記録をスタートするまでの間、給紙部に積載された状態の記録媒体が記録に使用されるかどうかは不定であり、積載された状態の記録媒体に対しては紙種判別を行うタイミングが取り難いものとなっていた。そこで、通常では、記録装置側には紙種判別手段を設けず、ホストコンピュータ等の記録データ・記録命令を出力する側においてユーザが記録媒体の種類を設定し、設定された紙種情報を記録装置へと送る方式が採られていた。
【０００６】
しかしながら、上記のようなユーザによる設定を行う方式を採った場合、設定操作を忘れる等の使い勝手の悪さから、昨今では、カセットを用いない比較的小型な記録装置においても、記録媒体の種類を自動的に判別する構成を備えるものが提案、実施されつつある。
【０００７】
例えば、特許文献１には、このような小型記録装置にて採用される記録媒体の自動判別方法として、記録媒体の搬送中に記録媒体判別手段を用いて紙種情報を得る方法が記載されている。この公報には、記録媒体を積載位置から給紙搬送し、記録手段により記録を行なう位置までの間に設けた記録媒体判別手段により搬送中の記録媒体の種類を判別する例が開示されている。
また、記録媒体判別手段を搭載して記録媒体の自動判別を行なう構成を備える小型記録装置も製品として発売されるようになってきている。このような紙種判別方法の一例を図５に示す。
【０００８】
図５に示されるように、記録装置の電源がＯＮされると、ＣＰＵなどからなる記録装置内の制御部では、ホストコンピュータ等の記録データ入力機器からの記録命令が入力されるのを待つ（Ｓ５０１）。
【０００９】
そして、記録データ入力機器からの記録データが入力されると記録データの受信がスタートする（Ｓ５０２，Ｓ５０３）。次に、給紙動作がスタートし（Ｓ５０４）、記録媒体の先端が紙端センサによって先端を検出されると（ステップＳ５０５）、記録媒体の先端を記録動作開始位置にセットする（Ｓ５０６）。その後、記録手段を主走査方向へと移動させる主走査手段（キャリッジ）に搭載した記録媒体判別手段により、記録媒体の種類の情報を取得する（Ｓ５０７）。そして、取得した情報に基づき記録媒体に対応した記録条件を設定し、記録を行う（Ｓ５０８）。
【００１０】
【特許文献１】
特開平６−３４０１６６号公報
【００１１】
【発明が解決しようとする課題】
しかしながら上記のような動作を行う従来の記録装置にあっては、以下のような不都合が生じていた。
【００１２】
すなわち、記録媒体毎に専用のカセットを設定しカセットの種類を検出することにより記録媒体の種類判別情報を得る方法にあっては、記録媒体の種類が多くなるとそれだけカセットの種類が増えてしまい、使用しないカセットの収納場所が必要になるという不都合があった。また、同じ種類の記録媒体を継続的に使用し、異なる記録媒体を使用する頻度が余り多くない場合にはそれ程支障はないが、一枚だけ異なる記録媒体を使用したい場合もあり、その場合にもカセットの取り外しを行わなくてはならず、また色々な種類の記録媒体を頻繁に使用する場合には、カセットを頻繁に交換しなければならないという煩わしさがあった。
【００１３】
一方、カセットを用いない比較的小型な記録装置において、記録媒体の搬送中に記録媒体判別手段によって紙種情報を得る方法にあっては、記録をスタートしてから記録媒体の判別を行うため、その分、記録時間が余分にかかりスループットが低下するという問題点もあった。また、記録媒体によっては信頼性のある給紙を行なうためには給紙条件を変更する必要があるが、上述のように従来の紙種判別方法においては、キャリッジに搭載された記録媒体判別手段の位置まで搬送された後、つまり、給紙動作の後に記録媒体の種類を判別するため、記録媒体の種類に応じた適切な給紙・搬送動作を行うことができなかった。このため、得られた紙種情報を給紙・搬送動作に十分に活用されないという結果を招いていた。
【００１４】
本発明は、上記従来技術の課題に着目してなされたもので、ユーザが頻繁に記録媒体に対する情報を入力する必要がなく、得られた情報を最大限に生かした信頼性の高い記録動作を実現することができる使い勝手に優れた記録装置および記録媒体の種類判別方法の提供を目的とする。
【００１５】
【課題を解決するための手段】
上記従来技術の課題を解消するため、本発明は以下のような構成を有するものとなっている。
【００１６】
すなわち、本願の第１の発明は、記録を行うための記録媒体を複数積載する記録媒体積載部と、前記記録媒体積載部に積載された記録媒体を給送する給送機構とを備え、前記給送機構によって給送された記録媒体に対して記録手段により記録を行う記録装置であって、前記記録媒体積載部に新たに記録媒体が積載されたことを検出する積載検出手段と、前記記録媒体積載部に積載された記録媒体の種類を判別する記録媒体判別手段と、前記記録媒体判別手段によって判別された記録媒体の種類を記憶する記憶手段と、前記積載検出手段が前記記録媒体積載部への新たな記録媒体の積載を検出したことに応じて、前記記録媒体判別手段による新たな記録媒体の種類の判別動作を実行させ、当該判別された記録媒体の種類を前記記憶手段に記憶させると共に、記録が指示されたときには前記記憶手段に記憶されている記録媒体の種類に基づき前記記録媒体への記録に関連する動作を制御する制御部と、を備えたことを特徴とする。
本願の第２の発明は、記録を行うための記録媒体を複数積載する記録媒体積載部と、前記記録媒体積載部に積載された記録媒体を給送する給送機構と、記録媒体の種類を保持するメモリとを備えた記録装置において実行される記録媒体の種類判別方法であって、前記記録媒体積載部に新たに記録媒体が積載されたことを検出する積載検出工程と、前記記録媒体積載部に積載された記録媒体の種類を判別する記録媒体判別工程と、前記記録媒体判別工程において判別された記録媒体の種類を前記メモリに保持する保持工程と、前記積載検出工程において前記記録媒体積載部への記録媒体の積載が検出されたことに応じて、前記記録媒体判別工程による新たな記録媒体の種類の判別を行わせ、当該判別された記録媒体の種類を前記記憶手段に記憶させると共に、記録が指示されたときには前記メモリが保持している前記記録媒体の種類が読み出すよう制御する制御工程と、を備えたことを特徴とする。
本願の第３の発明は、記録データに基づいて記録媒体に記録を行う記録装置において、
前記記録媒体を複数積載する記録媒体積載部と、前記記録媒体積載部に新たに記録媒体が積載されたこと、または、前記記録媒体積載部に積載されていた記録媒体を取り除くこと、に伴う記録媒体の動きを検出する検出手段と、前記記録媒体積載部に積載された記録媒体の種類を判別する判別手段と、前記判別手段によって判別された記録媒体の種類を記憶する記憶手段と、前記検出手段が前記記録媒体の動きを検出したことに応じて、前記判別手段による新たな記録媒体の種類の判別動作を実行させ、当該判別された記録媒体の種類を前記記憶手段に記憶させると共に、記録が指示されたときには前記記憶手段に記憶されている記録媒体の種類に基づき前記記録媒体への記録に関連する動作を制御する制御部と、を備えたことを特徴とする。
本願の第４の発明は、記録媒体を複数積載する記録媒体積載部と、前記記録媒体積載部に積載された記録媒体の種類を判別する判別手段と、前記判別手段により判別された記録媒体の種類を保持するメモリを備え、記録データに基づいて前記記録媒体に記録を行う記録装置における記録媒体の種類判別方法であって、前記記録媒体積載部に新たに記録媒体が積載されたこと、または、前記記録媒体積載部に積載されていた記録媒体を取り除くこと、に伴う記録媒体の動きを検出する検出工程と、前記検出工程において前記記録媒体の動きが検出されたことに応じて、前記判別手段による新たな記録媒体の種類の判別動作を実行させ、当該判別された記録媒体の種類を前記メモリに保持させると共に、記録が指示されたときには前記メモリが保持している記録媒体の種類を読み出すよう制御する制御工程と、を備えたことを特徴とする。
【００１７】
上記の発明によれば、給送手段が給送動作を開始する前、あるいは前記積載検出手段が記録媒体の積載を検出したときに、前記記録媒体判別手段により該記録媒体の種類を判別し、その判別した記録媒体種類情報により記録動作を制御するため、従来のようにユーザが頻繁に記録媒体に対する情報を入力する必要もなくなり、ユーザの使い勝手が良く、得られた情報を最大限に生かした信頼性の高い記録動作を実現することができる。
【００１８】
【発明の実施の形態】
以下、本発明の一実施形態を図１ないし図４に基づき説明する。
図１ないし図４は本実施形態における記録装置を示す図であり、図１は縦断側面図を、図２は給紙部の縦断側面図をそれぞれ示している。
【００１９】
図において、１は記録媒体に記録を行うためのインクジェット記録ヘッド、２はインクジェット記録ヘッド１を搭載して主走査方向に走査するキャリッジ、３はキャリッジ２に搭載されたインクジェット記録ヘッド１にインクを供給するためのインクタンク、４，５はキャリッジ２が主走査する際のガイドとなるキャリッジ軸、６はインクジェット記録ヘッド１により記録媒体に記録が行われる領域（記録領域）より記録媒体搬送方向上流に配置された記録媒体搬送用の第１の搬送ローラ、７はこの第１の搬送ローラに対向して設けられた第１の従動ローラ、１０は第１の従動ローラ７を保持する第１の従動ローラ保持部材、８は前記記録領域より記録媒体搬送方向下流に配置された記録媒体搬送用の第２の搬送ローラ、９は第２の搬送ローラ８に対向して設けられた第２の従動ローラ、１１は第１の搬送ローラ６の中心軸に係合して搬送ローラを保持する搬送ローラ保持部材、１２は第１の搬送ローラ６と第２の搬送ローラ８とにバネ（不図示）により圧接し搬送ローラ６の駆動力を第２の搬送ローラ８に伝達するための伝達ローラ、１３は第２の従動ローラ９を保持する第２の従動ローラ保持部材、１４は記録媒体を第１の搬送ローラ６まで給紙する給紙ローラ、１５は給紙すべき記録媒体を積載した状態でスタックする給紙スタッカ（記録媒体積載部材）、１６は給紙スタッカ１５に積載した記録媒体をバネ１７の弾性力によって外方へと付勢する圧板、１８は給紙時において給紙スタッカ１５から記録媒体を一枚ずつ分離させるための分離爪であり、前記１４〜１８によって記録媒体積載部が構成されている。また、１９は記録媒体、２０はシャーシ、２１は第１の従動ローラ保持部材１０及び第２の従動ローラ保持部材１３を保持する保持板である。
【００２０】
さらに、２２は給紙ローラ１４により給紙された記録媒体１９の先端及び後端が通過することによって移動する紙端検知レバー、２３は紙端検知レバーの動きを電気的な信号の変化に変換し記録媒体１９の紙端の通過を検出する光センサ等の紙端検出センサである。
【００２１】
また、図２において、４１は記録媒体１９が積載されたことを検出する積載検出センサ（積載検出手段）、４２は記録媒体積載部に積載された記録媒体１９の種類を判別する紙種判別センサ（記録媒体判別手段）であり、これらのセンサ４１，４２はいずれも光センサ等によって構成されている。
【００２２】
ここで、積載検出手段４１としては、例えば、反射型光センサを用いることができる。反射型光センサを用いる場合、圧板１６の積載検出手段４１が対向する位置に穴を開ける。これにより、記録媒体が積載されていない状態では、光センサから放出された光が光センサに戻ってこないようになり、一方、記録媒体が積載された状態では、光センサから放出された光が記録媒体の表面で反射され光センサまで戻って来るので、その反射の有無で記録媒体が積載されているかどうかを検出できる。
【００２３】
また、紙種判別センサ４２としては、例えば反射型光センサを用いることが可能である。普通紙、光沢紙、ＯＨＰ用紙等、種類の異なる記録媒体それぞれでは、その材質、表面の状態が異なるため、同じ強さの光を当てたときに反射される光の強さが記録媒体の種類によって異なる。従って、反射型光センサにより受光した反射光の反射レベルをアナログ的に読み取り、実験等により予め求めておいた反射レベルと照合すれば、記録媒体の種類を特定することが可能である。
【００２４】
図３は、上記記録装置の各部の動作を制御する制御系の構成を示すブロック図である。
図３において、２６はマイクロプロセッサ形態を有するＣＰＵであり、このＣＰＵはインターフェース２７を介してホストコンピュータ２５に接続されている。そして、ＣＰＵ２６は、ＲＯＭ形態の読み出し専用メモリであるプログラムメモリ２８やＲＡＭ形態のバッファメモリ２９に格納されたホストコンピュータからの記録データに基づき記録動作を制御する制御手段として機能する。
【００２５】
３０は格納情報の書き換えが可能なＲＡＭ形態のメモリであり、例えば、ＳＤ−ＲＡＭや、電源が切られてもその情報を保持し続ける不揮発性メモリであるＮＶＲＡＭである。３１はユーザが種々のデータ、指令などを入力するための操作パネル、３２はタイマである。
【００２６】
そして、ＣＰＵ２６には前記紙端センサ２３、積載検出センサ４１及び紙種判別センサ４２の検出信号などが入力されており、ＣＰＵ２６はこれら検出信号をはじめとする種々の入力データに基づき前記モータードライバ３４、３５を介してＣＲモータ３６、ＬＦモータ３７を制御すると共に、ＲＡＭ２９に格納された記録情報に基づきヘッドドライバ３３を介してインクジェット記録ヘッド１を制御する。
【００２７】
次に、以上の構成からなる記録装置の制御動作を図４のフローチャートに従って説明する。
【００２８】
記録装置の電源がＯＮされると、その時点で給紙スタッカ１５に積載されている記録媒体１９の種類の情報を紙種判別センサ４２により取得し（Ｓ１０１）、その情報をＲＡＭ３０に保持する（Ｓ１０２）。
【００２９】
次に、その状態でホストコンピュータ２５から記録信号が送信されて来るのを待つ。この待機状態において、給紙スタッカ１５に、新たに記録媒体１９が積載されたことを積載検出センサ４１が検出すると（Ｓ１０３）、Ｓ１０１及びＳ１０２へと移行し、再び記録媒体１９の種類情報の取得動作及び格納を行う。
【００３０】
ここで、ホストコンピュータ２５上のアプリケーションにおいて、プリントプロセスのスタート操作が行われると、その時点で取得されている最新の記録媒体種類情報がホストコンピュータ２５に送信される（Ｓ１０４，Ｓ１０５）。例えば、ユーザがプリント動作を開始させようとしてアプリケーション上でプリントダイアログボックスを開く操作を行うと、その操作が行われたことがインターフェース２７を通してＣＰＵ２６に通知され、ＣＰＵ２６はこれをプリントプロセススタート操作とみなし（Ｓ１０４）、その時点でＲＡＭ３０が保持している記録媒体種類情報をホストコンピュータ２５に送信する（Ｓ１０５）。ここで送信された情報は、その後のプリント動作において、記録媒体に適したドット配置等のデータ処理を行う際の情報として使用される。
【００３１】
プリントダイアログボックスにおいて、ユーザがプリント条件を設定・確認した後、プリントボタンを押すと、プリント命令が発せられ（ステップＳ１０６）、ホストコンピュータ２５から記録装置へ記録データが送信され、以下のプリント動作がスタートする。
【００３２】
このプリント動作では、まず、ホストコンピュータ２５から記録データを受信し（Ｓ１０７）、給紙スタッカ１５に積載されている記録媒体１９を給紙ローラ１４により一枚ずつ給紙して行く（Ｓ１０８）。
【００３３】
この給紙動作において高い信頼性を得るためには、記録媒体１９の種類に応じて記録速度などの記録条件を最適な値に設定することが必要となる。このため、先に獲得された記録媒体１９の種類情報に従い、予めＲＯＭ２８に記憶された給紙条件から最適な条件を選択し、その条件（給紙速度等）に基づき給紙動作を実行する（Ｓ１０８）。その後、紙端センサ２３による記録媒体１９の紙端検出情報に基づき、記録媒体１９をインクジェット記録ヘッド１による記録動作開始位置に記録媒体１９をセットし（Ｓ１１０）、その後、記録媒体の種類情報に基づき記録媒体に最適なものとして作成された記録データに基づき記録動作を実行する（Ｓ１１１）。
【００３４】
上記のように本実施形態では、記録媒体の給紙スタッカへの積載時にその都度媒体種類情報を自動で検出するようになっているため、記録媒体を何種類も頻繁に交換するユーザにとっては非常に使い勝手の良い記録装置を提供できる。
また、記録媒体が積載された時点で種類情報を検出するようになっているため、従来のように給紙後に記録媒体の種類情報を取得する方法に比し、スループットを向上させることができる。また、取得した記録媒体種類情報を、記録媒体を給紙する際の給紙条件の選択にも使用できるため、取得した情報を記録プロセス全般に活用することができ、よりきめの細かい制御を実現することが可能になる。
【００３５】
なお、上記実施の形態において、記録媒体積載部に記録媒体が積載されたことを検出する積載検出手段として、反射型光センサを用いるものを例に採り説明したが、イメージセンサを用いて構成してもよい。イメージセンサによって得られる画像情報の経時的な処理を行うことにより、物体の動きを検出することが可能となる。具体的には、イメージセンサによって得られる画像に対して、記録媒体の端部であるエッジを抽出する画像処理を行い、所定時間ごとに得られた画像情報におけるエッジ位置を比較することにより記録媒体の動きを検出することができる。積載検出手段としてイメージセンサを用いることにより、記録媒体積載部に複数枚の記録媒体を積載している状態において、新たに記録媒体を積載されたか否かを検出することが可能となる。
【００３６】
また、他に記録媒体積載部に記録媒体が積載されたことを検出する積載検出手段として、記録媒体積載部の質量変化を検出する方法、記録媒体積載部における衝撃を検出する方法を用いてもよい。
【００３７】
なお、上記実施の形態においては、インクジェット記録ヘッドを主走査方向へと移動させると共に、記録媒体を副搬送方向へと移動させるいわゆるシリアルプリンタ型の記録装置に適用した場合を例に採り説明したが、記録媒体の種類に応じて記録条件を変更し得る機能を有する記録装置であれば、本発明はシリアルプリンタ型の記録装置以外の記録装置（ラインプリンタ）であっても適用可能である。
【００３８】
また、上記実施形態では、記録媒体積層部に積載された複数の記録媒体のうち、最上位（最上方）の記録媒体から順次給送を行うものを例に採り説明したが、給送部によっては、給送機構及び記録媒体積層部が積層された記録媒体のうち、最下位（最下方）の記録媒体から順次給送を行うものにも本発明は適用可能である。但し、この場合には、記録媒体種類判別手段によって最下位の記録媒体の種類を判別させることが必要となる。
【００３９】
また、記録媒体の種類の判別は、記録媒体積層部に対して記録媒体が積層された時点に行うものとしたが、給紙動作が開始される前であれば、それ以外のタイミングで行うことも可能である。例えば、記録装置の電源ＯＮ時に紙種判別を実行すれば、記録装置に記録開始命令が入力されたときに紙種判別を行う必要がないので、直ぐに記録を開始でき、記録時間の大幅な短縮を図れる。また、電源ＯＮ時でなくとも、電源ＯＮ後であって記録開始命令の入力前であれば、同様の効果を得ることができる。
【００４０】
さらにまた、記録媒体積層部には、複数種の記録媒体を積層させることも可能であり、その場合にも、次の給送を行う記録媒体の種類を検出し、判別するようにすることで、本発明の目的を達成することができる。なお、ここで言う複数種の記録媒体を積層させる記録媒体積層部とは、複数種の記録媒体を重ねて積載するようにした単一の記録媒体積層部材を備えるものと、記録装置本体に対して選択的に記録媒体を給送し得る複数個の記録媒体積層部材を備えるものとを含み、いずれの場合にも、前記のように、次の給送を行う記録媒体の種類を検出し、判別するようにすれば、本発明の目的を達成することができる。
【００４１】
（実施態様）
以下に、本発明の実施態様を列挙する。
（実施態様１）  記録を行うための記録媒体を積載する記録媒体積載部と、前記記録媒体積載部に積載された記録媒体を給送する給送機構とを備え、
前記給送機構によって給送された記録媒体に対して記録手段により記録を行う記録装置であって、
前記記録媒体積載部に記録媒体が積載されたことを検出する積載検出手段と、前記記録媒体積載部に積載された記録媒体の種類を判別する記録媒体判別手段と、
前記積載検出手段が前記記録媒体積載部への記録媒体の積載を検出したことに応じて、前記記録媒体判別手段による記録媒体の種類の判別動作を実行させると共に、当該判別された記録媒体の種類に基づき前記記録媒体への記録に関連する動作を制御する制御部と、
を備えたことを特徴とする記録装置。
【００４２】
（実施態様２）  前記記録媒体判別手段によって判別された記録媒体の種類を記憶する記憶手段を更に備え、前記制御部は、前記記録媒体判別手段により判別された記録媒体の種類を前記記憶手段に記憶させると共に、前記記憶手段に記憶された記録媒体の種類に基づき前記記録媒体への記録に関連する動作を制御することを特徴とする実施態様１に記載の記録装置。
【００４３】
（実施態様３）  前記記録媒体判別手段は、前記記録媒体積載部から前記給送機構によって次に給送される記録媒体の種類を判別することを特徴とする実施態様１または２に記載の記録装置。
【００４４】
（実施態様４）  前記給送機構は、前記記録媒体積載部に積載された複数の記録媒体のうち最上位の記録媒体から順次給送することを特徴とする実施態様１ないし３のいずれかに記載の記録装置。
【００４５】
（実施態様５）  前記給送機構は、前記記録媒体積載部に積載された複数の記録媒体のうち最下位の記録媒体から順次給送することを特徴とする実施態様１ないし３のいずれかに記載の記録装置。
【００４６】
（実施態様６）  前記記録媒体積載部は、異なる種類の記録媒体を積載可能であり、前記給送手段は異なる種類の記録媒体を給送可能であることを特徴とする実施態様１ないし５のいずれかに記載の記録装置。
【００４７】
（実施態様７）  記録装置の電源ＯＮ時に前記記録媒体判別手段による判別を実行することを特徴とする実施態様１ないし６のいずれかに記載の記録装置。
【００４８】
（実施態様８）  記録を行うための記録媒体を積載する記録媒体積載部と、前記記録媒体積載部に積載された記録媒体を給送する給送機構とを備えた記録装置において実行される記録媒体の種類判別方法であって、
前記記録媒体積載部に記録媒体が積載されたことを検出する積載検出工程と、
前記記録媒体積載部に積載された記録媒体の種類を判別する記録媒体判別工程と有し、
前記積載検出工程において前記記録媒体積載部への記録媒体の積載が検出されたことに応じて、前記記録媒体判別工程による記録媒体の種類の判別を行うことを特徴とする記録媒体の種類判別方法。
【００４９】
【発明の効果】
以上説明した通り、本発明は、記録媒体積載部に記録媒体が積載されたことを検出した時点で記録媒体の種類を判別し、判別した記録媒体の種類に応じて記録動作を制御するようにしたため、従来のようにユーザが頻繁に記録媒体に対する情報を入力する必要もなくなり、使い勝手が良く、得られた情報を最大限に生かした信頼性の高い記録動作を実現することができる。
【図面の簡単な説明】
【図１】本発明に係る記録装置の一実施形態を示す縦断側面図である。
【図２】図１に示した記録装置の給紙部の構成を示す縦断側面図である。
【図３】図１に示した記録装置における制御系の構成を示すブロック図である。
【図４】本発明の一実施形態における制御動作を示すフローチャートである。
【図５】従来の記録装置における制御動作の一例を示すフローチャートである。
【符号の説明】
１  インクジェット記録ヘッド
２  キャリッジ
３  インクタンク
４  キャリッジ軸
５  キャリッジ軸
６  搬送ローラ
７  従動ローラ
８  第２の搬送ローラ
９  第二の従動ローラ
１０  従動ローラ保持部材
１１  搬送ローラ保持部材
１２  伝達ローラ
１３  第二の従動ローラ保持部材
１４  給紙ローラ
１５  給紙スタッカ
１６  圧板
１７  バネ
１８  分離爪
１９  記録媒体
２０  シャーシ
２１  保持板
２２  紙端検知レバー
２５  ホストコンピュータ
２６  ＣＰＵ
２７  インターフェース
２８  ＲＯＭ
２９  ＲＡＭ
３０  不揮発性メモリ
３１  操作パネル
３２  タイマ
３３  記録ヘッドドライバ
３４  ＣＲモータドライバ
３５  ＬＦモータドライバ
３６  ＣＲモータ
３７  ＬＦモータ
４１  積載検出センサ
４２  紙種判別センサ
【図１】
0003880510.tif 000002
【図２】
0003880510.tif 000003
【図３】
0003880510.tif 000004
【図４】
0003880510.tif 000005
【図５】
0003880510.tif 000006